(57)【要約】【課題】  誘導灯の表示体の色彩を、より正確に判定することができる誘導灯検査器具を提供する。【解決手段】  本発明の誘導灯検査器具Ａは、光を透過しない不透明な基板１と、この基板１上に設けられ、表示体ｅ１の基準となる色彩に対して段階的に色彩を変化させた複数の色彩見本２０、２０、・・・を有するスケール部２と、基板１上であってスケール部２に隣り合うように設けられ、可視光領域において略全反射する鏡面部３とを備えているものである。【選択図】図１
2012037240.tif 000002
【特許請求の範囲】
【請求項１】
誘導灯の表示体の色彩を検査する誘導灯検査器具であって、
光を透過しない不透明な基板と、
この基板上に設けられ、前記表示体の基準となる色彩に対して段階的に色彩を変化させた複数の色彩見本を有するスケール部と、
前記基板上であって前記スケール部に隣り合うように設けられ、可視光領域において略全反射する鏡面部と、を備えていることを特徴とする誘導灯検査器具。
【請求項２】
スケール部における複数の色彩見本は、所定の間隔を隔てて色彩が徐々に変化するように配設され、鏡面部は、隣り合う前記色彩見本の間に位置していることを特徴とする請求項１記載の誘導灯検査器具。
【請求項３】
色彩見本は、色紙で形成されているか、表面が艶消し処理された有色部材で形成されているか、のいずれかであることを特徴とする請求項１または２記載の誘導灯検査器具。
【請求項４】
誘導灯の表示体の色彩を検査する誘導灯検査方法であって、
光を透過しない不透明な基板と、この基板上に設けられ、前記表示体の基準となる色彩に対して段階的に色彩を変化させた複数の色彩見本を有するスケール部と、前記基板上であって前記スケール部に隣り合うように設けられ、可視光領域において略全反射する鏡面部と、を備えている誘導灯検査器具を用い、
前記鏡面部で反射した前記表示体からの光の色彩と、白色光下において前記色彩見本が反射により発色する色彩とを比較して検査することを特徴とする誘導灯検査方法。
【発明の詳細な説明】
【技術分野】
【０００１】
本発明は、誘導灯の表示体の色彩を検査する誘導灯検査器具および誘導灯検査方法に係り、特に、光を透過しない不透明な基板上に複数の色彩見本を有するスケール部と表示体を反射する鏡面部とを備え、表示体から発せられる光の色彩と色彩見本の色彩とを比較して該表示体の適否を判定するものに関する。
【背景技術】
【０００２】
誘導灯や誘導標識などの表示体（シンボルマークが付されたもの）は、特に火災や地震、あるいは停電などの緊急時において、避難者を安全かつ迅速に避難できるように誘導するための設備であり、避難者が確実に避難経路を認識できるように、この表示体の形状、色彩等は、消防法施行規則に基づく消防庁告示において詳細に規定されている。
【０００３】
この内、図７に示したような誘導灯ｅにあっては、平時有事を問わず常時点灯しているものであり、該誘導灯ｅの表示体ｅ１は、光源からの光や熱、あるいは周囲の温湿度環境などの影響で変色や退色を生じるため、避難者が確実に認識できるように適時検査を行うと共に、必要に応じて表示体ｅ１を新しいものに交換しなければならない。
【０００４】
ここで、誘導灯ｅの検査にあっては、図８に示したような誘導灯検査器具Ｂ（透明な基板７に色彩見本８０、８０、・・・を有するスケール部８と表示体ｅ１からの光を透過する窓部９とを備えたもの）が本願発明者により提案されており、図９に示したように、この誘導灯検査器具Ｂを誘導灯ｅに向かって翳し、図１０に示したように、段階的に色彩を変化させた複数の色彩見本８０、８０、・・・の色彩と、窓部９を透過した表示体ｅ１の透過光ｔの色彩とを見比べ、この透過光ｔの色彩が所定の色彩範囲ｍ内に収まっているか否かによりその適否を判定するものである（特許文献１参照）。
【先行技術文献】
【特許文献】
【０００５】
【特許文献１】特願２００９−１５４４５３
【発明の概要】
【発明が解決しようとする課題】
【０００６】
しかしながら、上述したような誘導灯検査器具Ｂにあっては、基板７が透明であることに加え、検査対象である誘導灯ｅに向かって誘導灯検査器具Ｂを翳すため、色彩見本８０の色彩は、反射光による発色のみならず、透過光ｔ（光源となる誘導灯ｅの光）による発色をも含んでしまい、表示体ｅ１の変色が激しい場合にあっては、必ずしも正確な色彩の判定ができないという問題点があった。
【０００７】
本発明は、上述した問題点を解決するためになされたものである。
【課題を解決するための手段】
【０００８】
請求項１に係る発明は、誘導灯の表示体の色彩を検査する誘導灯検査器具であって、光を透過しない不透明な基板と、この基板上に設けられ、前記表示体の基準となる色彩に対して段階的に色彩を変化させた複数の色彩見本を有するスケール部と、前記基板上であって前記スケール部に隣り合うように設けられ、可視光領域において略全反射する鏡面部と、を備えている誘導灯検査器具である。
【０００９】
請求項２に係る発明は、請求項１記載の誘導灯検査器具において、スケール部における複数の色彩見本は、所定の間隔を隔てて色彩が徐々に変化するように配設され、鏡面部は、隣り合う前記色彩見本の間に位置しているものである。
【００１０】
請求項３に係る発明は、請求項１または２記載の誘導灯検査器具において、色彩見本は、色紙で形成されているか、表面が艶消し処理された有色部材で形成されているか、のいずれかであるものである。
【００１１】
請求項４に係る発明は、誘導灯の表示体の色彩を検査する誘導灯検査方法であって、光を透過しない不透明な基板と、この基板上に設けられ、前記表示体の基準となる色彩に対して段階的に色彩を変化させた複数の色彩見本を有するスケール部と、前記基板上であって前記スケール部に隣り合うように設けられ、可視光領域において略全反射する鏡面部と、を備えている誘導灯検査器具を用い、前記鏡面部で反射した前記表示体からの光の色彩と、白色光下において前記色彩見本が反射により発色する色彩とを比較して検査する誘導灯検査方法である。
【発明の効果】
【００１２】
請求項１に記載の誘導灯検査器具によれば、光を透過しない不透明な基板と、この基板上に設けられ、表示体の基準となる色彩に対して段階的に色彩を変化させた複数の色彩見本を有するスケール部と、前記基板上であって前記スケール部に隣り合うように設けられ、可視光領域において略全反射する鏡面部と、を備えているため、大掛かりな装置を必要とせず、簡易かつ正確に表示体の色彩を検査することができる。
【００１３】
請求項２に記載の発明によれば、請求項１記載の誘導灯検査器具の効果に加え、スケール部における複数の色彩見本は、所定の間隔を隔てて色彩が徐々に変化するように配設され、鏡面部は、隣り合う前記色彩見本の間に位置しているため、表示体から発せられ、鏡面部で反射する反射光の色彩と、この鏡面部の両側に位置する色彩見本が反射により発色する色彩とを容易に見比べることができ、表示体の適否を迅速かつ確実に判定することができる。
【００１４】
請求項３に記載の発明によれば、請求項１または２記載の誘導灯検査器具の効果に加え、色彩見本は、色紙で形成されているか、表面が艶消し処理された有色部材で形成されているか、のいずれかであるため、白色光下にあって、色彩見本が有する本来の色彩を忠実に表現することができ、より一層正確に表示体の適否を判定することができる。
【００１５】
請求項４に記載の誘導灯検査方法によれば、段階的に色彩を変化させた複数の色彩見本を有するスケール部と、前記基板上であって前記スケール部に隣り合うように設けられ、視光領域において略全反射する鏡面部と、を備えている誘導灯検査器具を用い、前記鏡面部で反射した前記表示体からの光の色彩と、白色光下において前記色彩見本が反射により発色する色彩とを比較して検査するため、大掛かりな装置を必要とせず、簡易かつ正確に表示体の色彩を検査することができる。
【図面の簡単な説明】
【００１６】
【図１】本発明の誘導灯検査器具の一実施例を示した概略的斜視図である。
【図２】図１の変形例を示した概略的斜視図である。
【図３】本発明の誘導灯検査方法を説明するための概略図である。
【図４】図１の誘導灯検査器具を用いた誘導灯検査方法を説明するための概略図である。
【図５】図４の一部を拡大して示した概略図である。
【図６】図２の誘導灯検査器具を用いた誘導灯検査方法を説明するための概略図である。
【図７】誘導灯の外観を示した概略的斜視図である。
【図８】従来の誘導灯検査器具を示した概略的斜視図である。
【図９】従来の誘導灯検査方法を説明するための概略図である。
【図１０】図８の誘導灯検査器具を用いた誘導灯検査方法を説明するための概略図である。
【発明を実施するための形態】
【００１７】
本発明の一実施例を、図１〜図６を参照して説明する。図１において、Ａは誘導灯検査器具であり、誘導灯検査器具Ａは、図７に示したような誘導灯ｅの表示体ｅ１（シンボルマークが付されたもの）の色彩を検査するものであって、概略的に、基板１と、スケール部２と、鏡面部３とにより構成されている。
【００１８】
基板１は、後記するスケール部２および鏡面部３を一体的に支持する構体であり、光を透過しない不透明な部材であって、例えば、プラスチック板や金属板などにより形成されている。
【００１９】
スケール部２は、基板１上に設けられ、表示体ｅ１の基準となる色彩に対して段階的に色彩を変化させた複数の色彩見本２０、２０、・・・を有するもので、この色彩見本２０は、白色光下において所定の色彩を反射により忠実に発色するものであればよく、特に、色紙で形成されているか、表面が艶消し処理された有色部材で形成されているか、のいずれかであるのが好ましい。
【００２０】
ここで、艶消し処理された色彩見本２０は、例えば、顔料により着色された表面が平坦なプラスチック製の薄板にショットブラストや化学エッチングを施し、該表面が粗くなるようにして形成することができる。
【００２１】
また、スケール部２における色彩見本２０の色彩の配列は、例えば、図１に示したように、変色若しくは退色度合いのいずれかを検査するために、色相または彩度を一方向に一元配列として段階的に変化させて配置するものや、図２に示したように、変色および退色度合いの両方を検査するために、色相と彩度とを縦横方向に二元配列として段階的に変化させて配置するものを例示することができるが、配列する次元は、色彩の要素である色相、彩度、明度の中から適宜選択すればよい。
【００２２】
なお、前述した基準となる色彩とは、消防法施行規則に基づく消防庁告示「誘導灯及び誘導標識の基準」の別図第４に記載された色度図における緑色内の特定の色度のものをいう。
【００２３】
鏡面部３は、基板１上であってスケール部２に隣り合うように設けられ、可視光領域において略全反射する反射面を有するもので、例えば、平坦なガラスやプラスチック表面に金属薄膜を蒸着したものや、金属表面を磨いて鏡面仕上げをしたものなど、公知の鏡面構成とすることができる。なお、この鏡面部３は基板１を兼ねる構成であってもよい。
【００２４】
ところで、スケール部２における複数の色彩見本２０、２０、・・・は、図１、２に示したように、所定の間隔を隔てて色彩が徐々に変化するように配設され、鏡面部３は、隣り合う色彩見本２０、２０の間に位置するようにしてもよい。この構成によれば、後記するように、表示体ｅ１の色彩の決定を容易に行うことができる。
【００２５】
また、図１、図２において、ｍは、表示体ｅ１の色度が、前述の別図第４記載の規格（緑色の規格）内となる適合範囲を示しており、適合範囲ｍは、例えば、同図に示したように、線（図１、図２にあっては点線を例示）などで区画するようにしてもよい。
【００２６】
次に、上述した実施例のように構成された誘導灯検査器具Ａを用いて行う誘導灯検査方法について、図３〜図５を参照し、図１に図示した誘導灯検査器具Ａを例にとってその一例を説明する。この検査は白色光下において実施されるもので、例えば、図３に示したように、検査員ｋは、誘導灯ｅを背面にして誘導灯検査器具Ａの鏡面部３に表示体ｅ１を映し出す。このとき、図４に示したように、表示体ｅ１の反射光ｒは色彩見本２０と重ならないようにし、該反射光ｒ全体が鏡面部３に収まるように調整する。
【００２７】
そして、鏡面部３で反射した反射光ｒの色彩、すなわち、表示体ｅ１からの光の色彩と、白色光下において色彩見本２０が反射により発色する色彩とを比較するもので、図５に示したように、例えば、この誘導灯検査器具Ａの鏡面部３１（３）で反射した反射光ｒ１（ｒ）の色彩と、この鏡面部３１（３）の両側に位置する色彩見本２１（２０）、２２（２０）の色彩とを比較し、反射光ｒ１（ｒ）の色彩が、色彩見本２１（２０）の色彩よりも色彩見本２２（２０）の色彩に近ければ、引き続き横隣の鏡面部３２（３）に表示体ｅ１の反射光ｒ２（ｒ）を映し出し、この鏡面部３２（３）の両側に位置する色彩見本２２（２０）、２３（２０）の色彩とを比較する。
【００２８】
そして、この操作を順次繰り返し、表示体ｅ１からの反射光ｒの色彩が、両側に位置する色彩見本２０、２０の間となるような鏡面部３を探索し、この探索が完了したときに表示体ｅ１の色彩が決定されるもので、決定された表示体ｅ１の色彩が適合範囲ｍ内であれば合格であり、適合範囲ｍ外であれば不合格と判定され、表示体ｅ１の交換を要することとなる。
【００２９】
なお、図６は、図２に図示した誘導灯検査器具Ａにおける検査方法を示したものであり、色彩見本２０（２１、２２、・・・）が二元配列されているため、横隣だけでなく縦隣の色彩見本２０とを比較することができるもので、例えば、誘導灯検査器具Ａの鏡面部３３（３）で反射した反射光ｒ３（ｒ）の色彩と、この鏡面部３３（３）の縦隣に位置する色彩見本２４（２０）、２２（２０）の色彩とを比較し、以下、前述した一元配列のもの（図５参照）と同様な手法で探索を行い、表示体ｅ１の色彩を決定して該表示体ｅ１の適否を判定する。
【００３０】
ところで、上述した誘導灯検査方法にあっては、検査員ｋが誘導灯ｅを背面にして鏡面部３に表示体ｅ１を映し出す例について示したが、これに限られるものではなく、誘導灯ｅを前方に目視できるように位置した検査員ｋが、色彩見本２０が上方を向くように誘導灯検査器具Ａを略水平に持ち、前方から来た表示体ｅ１の光を該誘導灯検査器具Ａに映し出して検査をするようにしてもよい。
【符号の説明】
【００３１】
Ａ        誘導灯検査器具
ｅ        誘導灯
ｅ１      表示体
１        基板
２        スケール部
３        鏡面部
２０      色彩見本
【図１】
2012037240.tif 000003
【図２】
2012037240.tif 000004
【図３】
2012037240.tif 000005
【図４】
2012037240.tif 000006
【図５】
2012037240.tif 000007
【図６】
2012037240.tif 000008
【図７】
2012037240.tif 000009
【図８】
2012037240.tif 000010
【図９】
2012037240.tif 000011
【図１０】
2012037240.tif 000012